(57)【要約】【課題】簡易な構造で、筋肉が疲労する部分を瞬時に、確実に、劇的に回復させて最適化するようにした。【解決手段】シート部材１０の片面１０ａに設けられた粘着層１１に、複数の硬質な金属粒体１２が配列されて隆起している粘着シート１３と、前記各金属粒体１２に対応する位置に小孔１４が設けられ、前記各小孔１４から前記各金属粒体１２が突出して前記粘着シート１３の粘着層１１に剥離可能に設けられている剥離シート１５とを備え、前記剥離シート１５を粘着シート１３から剥離して金属粒体１２を有する面を人体の皮膚表面に貼着することにより、皮膚表面に生じている生体電位を変換させて神経の機能低下に基づく損傷を改善するようにした。【選択図】図１
2008194117.tif 000002
【特許請求の範囲】
【請求項１】
シート部材の片面に設けられた粘着層に、ミネラルを含んで有し、前記ミネラルにより皮膚表面に生じている生体電位を変換させ、神経の機能低下を最適化することにより神経を最善化させるとともに痛みの改善をする複数の硬質な金属粒体が隆起して配列状に設けてある粘着シートと、
前記粘着シートの粘着層に剥離可能に設けられている剥離シートとを備え、
前記剥離シートを粘着シートから剥離して金属粒体を有する面を人体の皮膚表面に貼着して神経の機能低下を最適化するようにしたことを特徴とする皮膚貼付用具。
【請求項２】
前記粘着層から隆起する前記複数の金属粒体は、前記シート部材の粘着層に行方向と列方向に配列して設けられ、前記金属粒体に有するミネラルのイオンによって前記皮膚表面に存在する生体電位をプラスからマイナスに変換させるようにした請求項１に記載の皮膚貼付用具。
【請求項３】
前記シート部材は強度と柔軟性のある紙、不織布、布または可撓性を有する樹脂のシートからなり、人体の部位に貼着できる面積である請求項１又は２に記載の皮膚貼付用具。
【請求項４】
前記各金属粒体は、前記シート部材の粘着層に０〜１２ｍｍ間隔で配列して隆起している  請求項１又は２に記載の皮膚貼付用具。
【請求項５】
前記金属粒体は、粒径が０．１〜１．８ｍｍである請求項１、２又は４に記載の皮膚貼付用具。
【発明の詳細な説明】
【技術分野】
【０００１】
本発明は、打撲、その他の外的衝撃を受けて人体に障害が発生すると、急激に、しかも瞬時にして劇的に障害を回復させて最適化するようにしたことを特徴とする皮膚貼付用具に関するものである。
【背景技術】
【０００２】
人体が、打撲、捻挫により痛んだり、スポーツによって急性外傷や障害疾患等による痛み等の諸症状が生じるのは、筋肉、靱帯、腱等に損傷を受けることにより、神経が浅く、広く若しくは深く損傷して機能低下することが原因である。したがって、痛みを解消させるには、神経の損傷や機能低下を改善する必要がある。その改善のための簡易な手段として、従来では、安静、冷却、圧迫、挙上などが基本的治療である。
上記した安静による治療は、損傷部を固定したり損傷を招くリスクを防止して人体の組織が回復に向かうための静的な措置であり、冷却による治療は、コールドパックやアイスパックを患部周辺に当てて血管を収縮させることによる炎症や腫れるのを抑制するものであり、圧迫による治療は、包帯または弾性包帯で組織を圧迫して患部の安静を図るものであり、挙上による治療は、損傷部位を高く上げて心臓へと戻る血流を促して体液の貯留を軽減することによる腫れを抑制するものである。
しかし、これらの改善手段は、人体に基づく自然の治癒力を期待するだけであって、完治するまでに長期間を要する。
そして、人体の一部を外的に治療するための家庭用の簡易な皮膚用治療具として、例えば純金等の粉体から成る金属固形材と、石英成分を７５％以上含有する鉱石材とから成る重合粒状物を、金属固形材を外側に、鉱石材を内側にしてシート部材の中心部に固着して成る貼付治療具が知られている。
【特許文献１】特開２００２−２０９９７３号
【発明の開示】
【発明が解決しようとする課題】
【０００３】
上記従来の貼付治療具は、人体の経絡やツボに貼付すると、シートの中心部にある重合粒状物の鉱石材が発生する遠赤外線の熱作用とマイナスイオンのエネルギーを伝導性の良い純金等の金属固形材を通して人体のツボに直接伝達することを目的とするものである。
しかし、シートの中心部にある重合粒状物の鉱石材が発生する遠赤外線の熱作用の強さとマイナスイオンのエネルギーの強さによって効果に差異がでてしまうし、人体の皮膚に点状にしか使用することができない。また、遠赤外線を発生する重合粒状物の鉱石材や、純金等の金属固形材はコスト
がかかるという課題がある。
【課題を解決するための手段】
【０００４】
そこで本発明は、前記課題を解決するために提案されたもので、人体に捻挫、打撲、肉離れ、その他の外的衝撃を受けて筋肉、筋膜、腱、靱帯、骨膜、骨等に障害が発生すると、筋肉、その他の部分を管理している神経が、その障害の度合いによって浅く、広くまたは深く損傷して痛み、若しくはその他の諸症状が発生する。また、神経に機能低下が発生すると、筋肉、腱、靱帯などが硬くなって血行が悪くなり、特に肉離れや筋、腱、靱帯の断裂が起こりやすい状態になる。
このような状態の時に本発明の皮膚貼付用具を貼付すると、瞬時にしかも確実な作用によって劇的に、驚異的に前記神経の機能低下を回復させることにより神経を最適化するようにしたことにある。
更に具体的には、健康な人体の皮膚表面には常にマイナスの生体電位があり、例えば打撲、捻挫、その他の前記外的衝撃を受けると、その部分の筋肉が損傷し、またはその筋肉を管理する神経も浅く、広くまたは深く損傷することになる。神経が損傷すると、その神経の機能が低下するので皮膚表面のマイナスの生体電位がプラスに変換するとともに、強い痛み、重み、痺れ等が発生する。
したがって、その部分の皮膚の表面の生体電位を、金属粒体が持っているミネラルのイオンでプラスからマイナスに変換させ、神経を最適化することによって、瞬時に、劇的に、しかも驚異的に痛み、その他の諸症状を改善させるものである。
【０００５】
本発明は、傷害・外傷などが発生した場合の人体の皮膚の表面に存在する生体電位を、プラスからマイナスに変換されるようにしたものであり、請求項１に記載の発明は、シート部材の片面に設けられた粘着層に、ミネラルを有し、前記ミネラルにより皮膚表面に生じている生体電位を変換させ、神経の機能低下を最適化することにより神経を最善化させるとともに痛みの改善をする複数の硬質な金属粒体が隆起して配列状に設けてある粘着シートと、前記粘着シートの粘着層に剥離可能に設けられている剥離シートとを備え、前記剥離シートを粘着シートから剥離して金属粒体を有する面を人体の皮膚表面に貼着して神経の機能低下を最適化するようにしたことを特徴とする。
【０００６】
また、請求項２に記載の発明は、前記粘着層から隆起する複数の金属粒体は、前記シート部材の粘着層に行方向と列方向に配列して設けられ、前記金属粒体に有するミネラルのイオンによって前記皮膚表面に存在する生体電位をプラスからマイナスに変換させるようにした請求項１に記載の皮膚貼付用具に関するものである。
【０００７】
請求項３に記載の発明は、前記シート部材は強度と柔軟性のある紙、不織布、布または可撓性を有する樹脂のシートからなり、人体の部位に貼着できる面積である請求項１又は２に記載の皮膚貼付用具に関するものである。
【０００８】
請求項４に記載の発明は、前記各金属粒体は、前記シート部材の粘着層に０〜１２ｍｍ間隔で配列して隆起している請求項１又は２に記載の皮膚貼付用具に関するものである。
【０００９】
また請求項５に記載の発明は、前記金属粒体は、粒径が０．１〜１．８ｍｍである請求項１、２又は４に記載の皮膚貼付用具に関するものである。
【発明の効果】
【００１０】
本発明の皮膚貼付用具によれば、打撲、捻挫、肉離れ、衝撃などの外的原因によって筋肉、靱帯、腱等に障害が発生すると、神経が広く、浅く若しくは深く損傷する。また、障害が発生した部分の神経が機能低下することにより皮膚の表面の生体電位が通常のマイナスからプラスになるので、その人体の部位に貼り付けるだけできわめて効果的に生体電位をマイナスに変換することができるので、人体の一部を確実に回復させて最適化することができる。また、金属粒体は半永久的に使用することができるので、シート部材の粘着機能が低下した場合に、新たなシート部材を使用して再利用することができる。
【発明を実施するための最良の形態】
【００１１】
以下、図面に基づいて本発明の実施例を詳細に説明する。
【実施例】
【００１２】
図１は本発明に係る皮膚貼付用具の平面図、図２は図１のＡ−Ａ線の一部の拡大断面図である。
【００１３】
図１において、本発明の皮膚貼付用具１は、シート部材１０の片面に設けてある粘着層１１に隆起する複数の硬質な金属粒体１２が所定間隔で配列して設けてある粘着シート１３と、各金属粒体１２に対応する位置に小孔１４が設けられ、各小孔１４から前記各金属粒体１２が突出して粘着層１１に剥離可能に設けてある剥離シート１５とを有して構成されている。
【００１４】
前記シート部材１０は、強度と柔軟性のある紙、不織布、布または可撓性を有する樹脂のシートなどからなって厚さが１ｍｍ以下のシート状であり、その片面１０ａには、粘着剤の塗布による粘着層１１が設けてある。
前記硬質な金属粒体１２は、鉄、銅、ニッケル、クロム、金、銀、鉛、錫、アルミニウム、ステンレス、ゲルマニウム、チタン等からなってミネラルを含んで有する金属の素材であり、粒径が０．１〜１．８ｍｍ程度である。０．１ｍｍ以下では小さすぎて神経を最適化効果が期待できないし、また１．８ｍｍ以上では大きすぎて使用時に人体の皮膚に食い込み、痛みを感じることがある。
そして、前記金属粒体１２は、シート部材１０の粘着層１１に行方向と列方向に配列されて隆起するように設けてある。
前記金属粒体１２は、球状のものが望ましいが、半球状、円柱状、多角錐状等特に形状に限定されるものではない。
【００１５】
前記剥離シート１５は、屈曲性、柔軟性及び強度の有る紙とか樹脂のシートなどからなって片面が前記粘着層１１から容易に剥離できるように処理されている。そして、前記剥離シート１５には、シート部材１０の粘着層１１における複数の金属粒体１２の配列位置に対応するように複数の小孔１４が設けられている。
また前記剥離シート１５は、複数の各小孔１４からシート部材１０の複数の金属粒体１２が突出するようにしてシート部材１０の粘着層１１に粘着するのであって、前記シート部材１０及び剥離シート１５とにより本発明の皮膚貼付用具１が構成されている。
【００１６】
本発明の実施例におけるシート部材１０は、人体の皮膚表面に貼り付けることができる寸法であればどの様な大きさでもよいが、例えば１辺が８〜１０ｃｍ四方程度の正方形又は長方形のものが最適で、使用時には、筋肉が疲労して神経が機能低下している部位に対応する大きさに切断すればよい。
また、複数の金属粒体１２は、前記の通り粒径が０．１〜１．８ｍｍのものであり、シート部材１０の粘着層１１の表面に、行方向と列方向に０〜１２ｍｍ間隔で規則正しく配列するように配置してある。
そして、前記間隔が０ｍｍであれば隣り合う金属粒体１２が接触状態であり、効率的に指圧効果とミネラルのイオンを発生することができる。また、１２ｍｍ以下であれば機能低下している神経を最適化するのに達成できる間隔であるし、１２ｍｍ以上であれば、隣り合う金属粒体の間隔が長すぎるので神経の最適化を達成できない。
なお、シート部材１０として樹脂のシートを使用する場合には、複数の金属粒体１２を予めシート部材に接着して固定しておき、その面に粘着剤を塗布して粘着層１１を形成してもよい。
【００１７】
前記剥離シート１５は、シート部材１０の粘着層１１に剥離可能に粘着されているので、剥離シート１５の複数の小孔１４のそれぞれから各金属粒体１２が突出するようになっている。
【００１８】
前記した本発明の皮膚貼付用具１の使用方法について説明する。
人体の皮膚表面に存在する生体電位は常にマイナスであって、マイナスが正常な状態である。しかし、例えばスポーツ時に打撲、捻挫などをすると、その部分の筋肉が疲労したり挫傷して神経が浅く、広く損傷する。
上記のように人体に何等かの外的要因で神経が損傷すると、神経の機能が低下するので皮膚表面のマイナスの生体電位がプラスに変換するとともに、痛みが発生する。したがって、皮膚の表面の生体電位がマイナスからプラスに変換した場合に、その部分に、適宜の寸法に切断するとともに剥離シート１５を剥がしたシート部材１０を、金属粒体１２が皮膚面に接触するようにして貼着すると、前記金属粒体１２によって生体電位をプラスからマイナスに変換させることにより、神経を回復させて最適化することができる。
【００１９】
なお、本発明の皮膚貼付用具１は、症状が急性症・慢性症のいずれの場合であっても使用することができるが、特に、急性の場合には、皮膚貼付用具１を患部の皮膚に直接貼り付けるとともに冷湿布、または、患部を冷却作用させることにより、神経の回復による最適化を高めたり促進することができる。
【００２０】
本発明の皮膚貼付用具１は、小型、軽量であるため、スポーツ、旅行に参加するときには、携帯に便利であり、また家庭では救急箱に入れて保管することができる。
【００２１】
本発明の皮膚貼付用具は、患部の皮膚に貼り付けると金属粒体が皮膚に当接して、皮膚表面を適度に押圧することで皮膚反応面を刺激し、指圧の代用として機能し、同時に皮膚表面の生体電位を調整する作用により、人体の生体電位を変換して神経を回復することができるので、慢性・急性を問わず、外的衝撃に対する捻挫、打撲等の症状に対する回復に著しく有効である。
【００２２】
本発明は前記実施例に限定されるものではなく、特許請求の範囲に記載された本発明の内容を逸脱することがなければ、種々の設計変更が可能であり、前記実施例に限定されないことはいうまでもない。
【図面の簡単な説明】
【００２３】
【図１】本発明に係る皮膚貼付用具の平面図である。
【図２】図１のＡ−Ａ線の一部の拡大断面図である。
【符号の説明】
【００２４】
１      皮膚貼付用具
１０    シート部材
１０ａ  シート部材の片面
１１    粘着層
１２    金属粒体
１３    粘着シート
１４    小孔
１５    剥離シート
【図１】
2008194117.tif 000003
【図２】
2008194117.tif 000004